【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
ウォータースライドにおいて、
シュートであって、当該シュートに沿った水の流れを促すように構成されるとともに利用者を水と一緒にシュートの出口点まで輸送するように構成されている、シュートと、
前記シュートに沿って配置されている適応可能な継手と、
前記シュートの流路を変更可能とするために、前記適応可能な継手を操縦するように構成されているアクチュエータと、
前記シュートの前記流路が相応に配列されたときに当該シュートと整列するように構成されている複数の受け手側滑走路と、を備えているウォータースライド。
【請求項２】
前記適応可能な継手は、前記シュートの可撓性材料と、前記アクチュエータへ取り付けられている連結機構と、を備えている、請求項１に記載のウォータースライド。
【請求項３】
ウォータースライドにおいて、
シュートであって、当該シュートに沿った水の流れを促すように構成されるとともに利用者を水と一緒にシュートの出口点まで輸送するように構成されている、シュートと、
前記シュートに沿って配置されている適応可能な継手と、
前記シュートの流路を変更可能とするために、前記適応可能な継手を操縦するように構成されているアクチュエータと、
を備えており、
前記アクチュエータは、前記適応可能な継手を水平方向の経路に沿って動かすように構成されている水平作動メカニズムを備えている、ウォータースライド。
【請求項４】
前記アクチュエータは、前記水平作動メカニズムと、前記適応可能な継手を垂直方向の経路に沿って動かすように構成されている垂直作動メカニズムの両方を備えている、請求項３に記載のウォータースライド。
【請求項５】
前記アクチュエータは、６自由度を提供するように構成されている、請求項３に記載のウォータースライド。
【請求項６】
ウォータースライドにおいて、
シュートであって、当該シュートに沿った水の流れを促すように構成されるとともに利用者を輸送するように構成されている、シュートと、
前記シュートに沿って配置されている適応可能な継手と、
前記シュートの流路を変更可能とするために、前記適応可能な継手を操縦するように構成されているアクチュエータと、
を備えており、
前記適応可能な継手は、シュート区間であって流路変更を受容するべく当該シュート区間から滑り出るように構成されている伸展部を収納しているシュート区間、を備えている、ウォータースライド。
【請求項７】
前記シュートは、複数の適応可能な継手を介して連結されている複数の実質的に剛性の樋及び／又は管材区間を備えている、請求項６に記載のウォータースライド。
【請求項８】
前記アクチュエータは、前記複数の実質的に剛性の樋及び／又は管材区間のうちの１つと連結されている、請求項７に記載のウォータースライド。
【請求項９】
ウォータースライドにおいて、
シュートであって、当該シュートに沿った水の流れを促すように構成されるとともに利用者を輸送するように構成されている、シュートと、
前記シュートに沿って配置されている適応可能な継手と、
前記シュートの流路を変更可能とするために、前記適応可能な継手を操縦するように構成されているアクチュエータと、
前記シュートの基底に配置されている可撓性の壁を有する収容構造体と、
前記収容構造体を出てゆく追加のシュートと、を備えているウォータースライド。
【請求項１０】
前記収容構造体は、膨らまし式の構造体を備えている、請求項９に記載のウォータースライド。
【請求項１１】
ウォータースライドにおいて、
１つ又はそれ以上のシュート区間と、１つ又はそれ以上の適応可能な継手と、から形成されている滑走路であって、当該滑走路は、当該滑走路に沿った水の流れを促すように構成されるとともに当該滑走路に沿って利用者を水と一緒に出口点まで輸送するように構成されており、前記１つ又はそれ以上のシュート区間と前記１つ又はそれ以上の適応可能な継手は、複数の異なった流路を提供するべく配列されるように構成されている、滑走路と、
前記複数の異なった流路のそれぞれを提供するように前記滑走路を配列するべく前記１つ又はそれ以上の適応可能な継手を操縦するように構成されている１つ又はそれ以上のアクチュエータと、
を備えており、
前記滑走路は、前記複数の流路のうちのどれを提供するように当該滑走路が配列されるかに依存して、前記滑走路の基底を幅広の滑走路の最上部に沿った複数の場所のうちの１つと整列させるように構成されている、ウォータースライド。
【請求項１２】
前記１つ又はそれ以上のアクチュエータは、それぞれ、垂直作動メカニズム、水平作動メカニズム、及び回転作動メカニズムのうちの１つ又はそれ以上を備えている、請求項１１に記載のウォータースライド。
【請求項１３】
前記１つ又はそれ以上のアクチュエータは、前記１つ又はそれ以上のシュート区間へ直接に連結されているアクチュエータを備えている、請求項１１に記載のウォータースライド。
【請求項１４】
前記１つ又はそれ以上のアクチュエータは、前記１つ又はそれ以上の適応可能な継手と直接に連結されているアクチュエータを備えている、請求項１１に記載のウォータースライド。
【請求項１５】
ウォータースライドにおいて、
１つ又はそれ以上のシュート区間と、１つ又はそれ以上の適応可能な継手と、から形成されている滑走路であって、当該滑走路は、当該滑走路に沿った水の流れを促すように構成されるとともに当該滑走路に沿って利用者を水と一緒に出口点まで輸送するように構成されており、前記１つ又はそれ以上のシュート区間と前記１つ又はそれ以上の適応可能な継手は、複数の異なった流路を提供するべく配列されるように構成されている、滑走路と、
前記複数の異なった流路のそれぞれを提供するように前記滑走路を配列するべく前記１つ又はそれ以上の適応可能な継手を操縦するように構成されている１つ又はそれ以上のアクチュエータと、
複数の受け手側滑走路と、
を備えており、
前記複数の受け手側滑走路のそれぞれは、前記滑走路が前記複数の流路の対応する１つを提供するように配列されたときに当該滑走路と整列するように構成されている、ウォータースライド。
【請求項１６】
ウォータースライドにおいて、
１つ又はそれ以上のシュート区間と、１つ又はそれ以上の適応可能な継手と、から形成されている滑走路であって、当該滑走路は、当該滑走路に沿った水の流れを促すように構成されるとともに当該滑走路に沿って利用者を水と一緒に出口点まで輸送するように構成されており、前記１つ又はそれ以上のシュート区間と前記１つ又はそれ以上の適応可能な継手は、複数の異なった流路を提供するべく配列されるように構成されている、滑走路と、
前記複数の異なった流路のそれぞれを提供するように前記滑走路を配列するべく前記１つ又はそれ以上の適応可能な継手を操縦するように構成されている１つ又はそれ以上のアクチュエータと、
を備えており、
前記滑走路は、前記複数の流路のうちのどれを提供するように当該滑走路が配設されるかに依存して、前記滑走路の入口を複数の待合場所のうちの１つと整列させるように構成されている、ウォータースライド。
【請求項１７】
ウォータースライドの流路を変更する方法において、
水及び利用者の輸送を促すように構成されているシュート及び継手を備える滑走路の中へ入口点において水を受けて、前記水が前記滑走路の流路に沿って流れるようにする段階と、
前記シュート又は前記継手と連結されているアクチュエータを起動させて、前記シュートを前記継手周りに動かして前記流路を変更する段階と、
前記シュートの前記継手周りの運動に基づいて、当該シュートと当該継手の間の接続性を維持するように前記シュート又は前記継手の機構を適応させる段階と、
を備えており、
前記機構を適応させる段階は、前記シュートと前記継手の間の当該シュートの当該継手周りの運動によって形成されるギャップを受容するように前記継手内又は前記シュート内から伸展部を滑動させる段階を備えている、方法。
【請求項１８】
前記利用者の輸送中に前記アクチュエータを起動させる段階を備えている、請求項１７に記載の方法。
【請求項１９】
方法において、
水及び利用者の輸送を促すように構成されているシュート及び継手を備える滑走路の中へ入口点において水を受けて、前記水が前記滑走路の流路に沿って流れるようにする段階と、
前記シュート又は前記継手と連結されているアクチュエータを起動させて、前記シュートを前記継手周りに動かして前記流路を変更する段階と、
前記シュートの前記継手周りの運動に基づいて、当該シュートと当該継手の間の接続性を維持するように前記シュート又は前記継手の機構を適応させる段階と、
前記流路に沿って配置されている可撓性材料で形成されている壁を有する収容構造体を、当該構造体内に前記利用者がいるかどうかを見極めるべく制御及び監視システムで監視する段階を備えている、方法。
【手続補正２】
【補正対象書類名】明細書
【補正対象項目名】０００７
【補正方法】変更
【補正の内容】
【０００７】
【図１】[0005]本技法による連接式ウォータースライドの側面図である。
【図２】[0006]本技法による図１の連接式ウォータースライドを上から見た図である。
【図３】[0007]本技法による連接式ウォータースライドの略斜視図である。
【図４】[0008]本技法による図３の同じウォータースライドについて２つの異なった流路を示している。
【図５】[0009]本技法による、振動式フリュームと３つの受け入れ滑走路を有するウォータースライドの略平面図である。
【図６】[0010]本技法による、振動式フリュームと単一の幅広の受け入れ滑走路を有するウォータースライドの略平面図である。
【図７】[0011]本技法による、プラットホームと適応可能な滑走路構成要素の間にフリューム入口点を振動させるように構成されているフリュームを有するウォータースライドの略平面図である。
【図８】[0012]本技法による、可撓性の収容構造体を通して流路を方向付けるように構成されている振動式フリュームを有するウォータースライドの略平面図である。
【図９】[0013]本技法によるウォータースライドの適応可能な継手の斜視図である。
【図１０】[0014]本技法によるウォータースライドの適応可能な継手の断面側面図である。
【図１１】[0015]本技法による図１０の適応可能な継手を上から見た図である。
【図１２】本技法によるウォータースライドの流路を変える方法のためのプロセスフロー図である。
【手続補正３】
【補正対象書類名】明細書
【補正対象項目名】００２２
【補正方法】変更
【補正の内容】
【００２２】
[0032]図１２は、本実施形態によるウォータースライドの流路を変える方法８００のためのプロセスフロー図を示している。具体的には、方法８００は、ブロック８０２によって表されている様に、滑走路の中へ水を受けて、水が滑走路の流路に沿って流れるようにする段階から始まる。滑走路は、滑走路の流路に沿った水及び利用者の輸送を促すように構成されているシュート（例えば、管材又は樋）と継手の様な輸送機構を含んでいよう。
ブロック８０４は、シュート又は継手と連結されているアクチュエータを起動させてシュートを継手周りに動かす段階を表している。これは、結果的に、ブロック８０６によって表されている様に、滑走路の流路を変える段階をもたらす。幾つかの実施形態では、アクチュエータは、スライドに沿った利用者の輸送中に起動されてもよい。ブロック８０８は、継手周りのシュートの運動によって形成されるシュートと継手の間のギャップを受容するように継手又はシュートの機構を適応させる（例えば、伸ばす、捩じる、撓ませる、伸展させる）段階を表している。ブロック８０８によって表されている段階は、継手又はシュート内から伸展部を滑動させる段階を含んでいてもよい。